(57)【特許請求の範囲】
【請求項１】
上方に開口部を有する樹脂製の洗浄槽と、この洗浄槽を前後方向に移動可能に支持する外箱と、前記洗浄槽を前記外箱内に押し込み収容した状態を保持する係止機構と、前記洗浄槽の開口部を閉塞する蓋体と、この蓋体を前方上方に付勢する弾性体とを備え、前記洗浄槽の前方の中央近傍に突出部を設け、前記蓋体の端面で突出部が当接する位置に被押圧部を設け、前記被押圧部は後方に向かって狭くなるよう凹形状に構成し、前記洗浄槽の収容時に、前記係止機構の近傍において前記突出部により前記蓋体を後方へ押し、前記蓋体を前記弾性体の付勢力に抗して移動させ、前記洗浄槽の開口部を閉塞する構成とした食器洗い機。
【請求項２】
係止機構を洗浄槽の前方部に設けた請求項１記載の食器洗い機。
【発明の詳細な説明】
【０００１】
【発明の属する技術分野】
本発明は、洗浄ノズルより食器に向けて洗浄水を噴射して食器を洗浄する食器洗い機に関する。
【０００２】
【従来の技術】
近年、洗浄槽内で回転するノズルから噴射される洗浄水によって食器かごに収納された食器を洗浄する食器洗い機が主流となっている。
【０００３】
従来、この種の食器洗い機は図４に示すように構成していた。以下、その構成について説明する。
【０００４】
図４に示すように、外箱１は前方に開口部を有するとともに、左右両内面に第１のレール２を固定しており、この第１のレール２と係合する第２のレール３を左右両外面に設けた洗浄槽４を前後方向に移動可能に支持している。洗浄槽４は上方に開口部５を有するとともに、前方に扉６を設けており、外箱１の開口部を開閉する。
【０００５】
外箱１内の上方には４個のリンク７を介して蓋体８を前後方向に移動可能に支持してい
る。リンク７は前後左右に各１個ずつ設け、その回転中心軸側の穴９を外箱１に設けた軸に摺動自在に係合し、回転側の穴１０を蓋体８に設けた軸に摺動自在に係合している。また、蓋体８は弾性体１１によって外箱１と連結して上方前方に付勢し、洗浄槽４を外箱１内に押し込み収容した状態で、洗浄槽４の開口部５を蓋体８により閉塞するよう構成している。
【０００６】
また、洗浄槽４は前方に係止機構１２を有し、外箱１内へ収容完了状態において外箱１に係止可能な構成としている。さらに、洗浄槽４は後方に突出部１３を有し、この突出部１３は蓋体８の後方に下方向へ突出させた被押圧部１４に当接可能な位置関係にあり、洗浄槽４の収容時に、突出部１３により蓋体８を後方へ押すように構成している。
【０００７】
洗浄槽４内には洗浄水を噴射する洗浄ノズル１５を回転自在に設けるとともに、食器１６をセットする食器かご１７を配置している。洗浄槽４内の洗浄水はヒータ１８によって温水化され、洗浄ポンプ１９にて排水口２０から吸い込まれ、洗浄ノズル１５に圧送される。洗浄ノズル１５より勢いよく噴射される洗浄水によって、食器かご１７にセットされた食器１６を洗浄するように構成している。
【０００８】
上記構成において作用を説明すると、洗浄槽４内の食器かご１７に食器１６をセットし、洗浄槽４を外箱１内に収容するとき、洗浄槽４を後方に押して移動させると、やがて、突出部１３が蓋体８の被押圧部１４と当接し、さらに洗浄槽４を後方へ押すことによって、蓋体８が後方へ押される。このとき、リンク７が回転し、蓋体８はリンク７の回転軌跡上を移動するため、後方に移動しながら下方向へ移動する。
【０００９】
さらに洗浄槽４が後方へ移動することにより、扉６で外箱１の前方の開口部を閉じ、係止機構１２で係止する。このとき、洗浄槽４の開口部５の高さまで蓋体８が下降し、洗浄槽４の収容が完了すると同時に、蓋体８により洗浄槽４の開口部５を閉塞し、運転中の洗浄水や蒸気の漏れを防止する。
【００１０】
【発明が解決しようとする課題】
このような従来の食器洗い機では、蓋体８の前後方向の位置を規制するのは係止機構１２と突出部１３であり、この２点間の距離Ｌ１が長いため、製造上のばらつきの絶対値が大きく、距離Ｌ１が所定値よりも短くなった場合、蓋体８の後方下方への移動量が減少し、洗浄槽４と蓋体８との閉塞性が低下するという問題を有していた。
【００１１】
また、洗浄槽４が樹脂製の場合、熱収縮による経年変化量は距離Ｌ１が長いほど大きいため、同様に洗浄槽４と蓋体８との閉塞性が低下するという問題を有していた。
【００１２】
本発明は上記従来の課題を解決するもので、製造上の寸法ばらつきの影響、または熱収縮による経年変化量を低減して、洗浄槽を外箱内に押し込み収容したときの洗浄槽と蓋体との閉塞性を安定して確保し、信頼性の高い食器洗い機を提供することを目的としている。
【００１３】
【課題を解決するための手段】
本発明は上記目的を達成するために、上方に開口部を有する洗浄槽を外箱内に前後方向に移動可能に支持し、係止機構により洗浄槽を外箱内に押し込み収容した状態を保持し、洗浄槽の開口部を閉塞する蓋体を弾性体により前方上方に付勢するよう構成し、洗浄槽には突出部を設け、洗浄槽の収容時に、係止機構の近傍において突出部により蓋体を後方へ押し、蓋体を弾性体の付勢力に抗して移動させ、洗浄槽の開口部を閉塞する構成としたものである。
【００１４】
これにより、洗浄槽の突出部により蓋体を押す位置と係止機構との距離を短く設定し、製造上の寸法ばらつきの影響、または熱収縮による経年変化量を低減できて、洗浄槽を外箱内に押し込み収容したときの洗浄槽と蓋体との閉塞性を安定して確保することができ、信頼性の高い食器洗い機を提供することができる。
【００１５】
【発明の実施の形態】
本発明の請求項１に記載の発明は、上方に開口部を有する洗浄槽と、この洗浄槽を前後方向に移動可能に支持する外箱と、前記洗浄槽を前記外箱内に押し込み収容した状態を保持する係止機構と、前記洗浄槽の開口部を閉塞する蓋体と、この蓋体を前方上方に付勢する弾性体とを備え、前記洗浄槽の前方の中央近傍に突出部を設け、前記蓋体の端面で突出部が当接する位置に被押圧部を設け、前記被押圧部は後方に向かって狭くなるよう凹形状に構成し、前記洗浄槽の収容時に、前記係止機構の近傍において前記突出部により前記蓋体を後方へ押し、前記蓋体を前記弾性体の付勢力に抗して移動させ、前記洗浄槽の開口部を閉塞する構成としたものであり、洗浄槽の突出部により蓋体を押す位置と係止機構との距離を短く設定しているため、製造上の寸法ばらつきの絶対値を小さく抑えることができるとともに、樹脂製の洗浄槽の場合でも熱収縮による経年変化量を低減することができ、その結果、洗浄槽を外箱内に押し込み収容したとき、蓋体を安定して後方下方へ移動させることができて、洗浄槽と蓋体との閉塞性を安定して確保することができ、信頼性の高い食器洗い機を提供することができる。また、洗浄槽と蓋体とを相互に中央近傍で当接させるため、左右で当接させる場合に生じる可能性がある左右の当接のタイミングのずれによる蓋体の傾きを防止することができ、より信頼性の高い食器洗い機を提供することができる。また、洗浄槽の突出部が蓋体の被押圧部に当接する前もしくは当接した後において、洗浄槽と蓋体との相互の左右方向の位置を規制することができるため、より信頼性の高い食器洗い機を提供することができる。また、洗浄槽が後方へ移動しながら蓋体との左右方向の位置関係を規制することができる。
【００１６】
請求項２に記載の発明は、上記請求項１に記載の発明において、係止機構を洗浄槽の前方部に設けたものであり、洗浄槽と蓋体との閉塞性を安定して確保することができるとともに、係止機構をコンパクトに構成することができるため、信頼性が高く廉価な食器洗い機を提供することができる。
【００１７】
【実施例】
以下、本発明の実施例について、図面を参照しながら説明する。なお、従来例と同じ構成のものは同一符号を付して説明を省略する。
【００１８】
（実施例１）
図１に示すように、洗浄槽２１は、その左右両外面に設けた第２のレール３と、この第２のレール３と係合し外箱２２の左右両内面に固定した第１のレール２とにより、外箱２２に対して前後方向に移動可能に支持している。洗浄槽２１は上方に開口部２３を有するとともに、前方には扉２４を設けており、外箱２２の開口部を開閉するよう構成している。
【００１９】
蓋体２５は、４個のリンク７を介して外箱２２内の上方に、前後方向に移動可能に支持し、この蓋体２５は弾性体１１によって外箱２２と連結して上方前方に付勢し、洗浄槽２１を外箱２２内に押し込み収容した状態で、洗浄槽２１の開口部２３を蓋体２５により閉塞するよう構成している。
【００２０】
洗浄槽２１は前方に係止機構２６を有し、外箱２２内へ収容完了状態において外箱２２に係止可能な構成としている。また、洗浄槽２１は、前方の中央近傍の上側に上方へ突出した突出部２７を有し、この突出部２７は蓋体２５の前方端面２８と当接可能な位置関係にあり、洗浄槽２１の収容時に、係止機構２６の近傍において突出部２７により蓋体２５を後方へ押すように構成している。なお、図１の左側を前方とし、右側を後方とする。
【００２１】
上記構成において作用を説明すると、洗浄槽２１内の食器かご１７に食器１６をセットし、洗浄槽２１を外箱２２内に収容するとき、洗浄槽２１を後方に押して移動させると、やがて、突出部２７が蓋体２５の前方端面２８と当接し、さらに洗浄槽２１を後方へ押すことによって、蓋体２５が後方へ押される。このとき、リンク７が回転し、蓋体２５はリンク７の回転軌跡上を移動するため、後方に移動しながら下方向へ移動する。
【００２２】
さらに洗浄槽２１が後方へ移動すると、洗浄槽２１の開口部２３の高さまで蓋体２５が下降し、洗浄槽２１の収容が完了すると同時に、蓋体２５により洗浄槽２１の開口部２３を閉塞する。この状態で係止機構２６を動作させることにより、洗浄槽２１を外箱２２内に係止する。
【００２３】
このため、外箱２２に対する洗浄槽２１の位置を決定する係止機構２６の位置と、洗浄槽２１に対する蓋体２５の位置を決定する突出部２７と蓋体２５の前方端面２８の当接位置との距離Ｌ２が短く、距離Ｌ２の製造上のばらつきの絶対値を小さく抑えることができるため、蓋体２５を安定して後方下方へ移動させることによって、洗浄槽２１と蓋体２５との閉塞性を安定して確保することができる。
【００２４】
また、洗浄槽２１が樹脂製の場合でも、距離Ｌ２の熱収縮による経年変化量を抑制することができ、同様に洗浄槽２１と蓋体２５との閉塞性を安定して確保することができ、かつ、洗浄槽２１と蓋体２５とを相互の中央近傍で当接させるため、左右で当接させる場合に生じる可能性がある左右の当接のタイミングのずれによる蓋体の傾きを防止することができる。
【００２５】
また、係止機構２６を前方に設けることにより、扉２４と外箱２２を係止する手段とを一体としてコンパクトに構成することができるため、廉価でより信頼性の高い食器洗い機を提供することができる。
【００２６】
また、洗浄槽２１の前方の中央近傍に上方へ突出した突出部２７を設けているので、洗浄槽２１と蓋体２５とを相互に中央近傍で当接させるため、左右で当接させる場合に生じる可能性がある左右の当接のタイミングのずれによる蓋体２５の傾きを防止することができ、より信頼性の高い食器洗い機を提供することができる。
【００２７】
（実施例２）
図２に示すように、洗浄槽２１ａは、食器１６をセットした食器かご１７を配置し、前方に開口部を有する外箱２２ａに対して前後方向に移動可能に支持している。この洗浄槽２１ａの前方の左右両端近傍に上方向へ突出した突出部２９を設け、この突出部２９は、洗浄槽２１ａの上方の開口部を閉塞するよう構成した蓋体２５ａの前方端面２８ａと当接可能な位置関係にある。他の構成は上記実施例１と同じである。なお、図面の左側を前方とし、右側を後方とする。
【００２８】
上記構成において作用を説明すると、使用者が食器かご１７に食器１６をセットするとき、使用者の動線が通過する範囲は主として洗浄槽２１ａの前方側の一辺ａの範囲である。突出部２９は、その範囲外に設けているため、使用者が食器１６をセットするときの障害にならないため、より使用勝手がよい食器洗い機を提供することができる。
【００２９】
なお、本実施例では、洗浄槽２１ａの前方の左右両端近傍に上方向へ突出した突出部２９を設けているが、洗浄槽２１ａの左右両端の少なくとも一方の近傍に突出部２９を設けるだけでもよく、同様の作用効果を得ることができる。
【００３０】
（実施例３）
図２に示すように、洗浄槽２１ｂは、食器１６をセットした食器かご１７を配置し、前方に開口部を有する外箱２２ｂに対して前後方向に移動可能に支持している。この洗浄槽２１ｂの前方の上側に上方へ突出した突出部３０を設け、この突出部３０は、洗浄槽２１ｂの上方の開口部を閉塞するよう構成した蓋体２５ｂの前方端面２８ｂに設けた被押圧部３１と当接可能な位置関係にある。被押圧部３１は後方へ向かって凹形状をなしており、その溝幅ｔ１は突出部３０の厚みｔ２よりも若干大きくなるよう形成している。他の構成は上記実施例１と同じである。なお、図面の左側を前方とし、右側を後方とする。
【００３１】
上記構成において作用を説明すると、洗浄槽２１ｂを外箱２２ｂ内に収容するとき、洗浄槽２１ｂは後方に移動し、やがて、突出部３０が被押圧部３１と当接した後、後方へ押すことによって、蓋体２５ｂが後方へ押される。このとき、突出部３０は被押圧部３１の溝部３２に没入するため、洗浄槽２１ｂと蓋体２５ｂとの左右方向の位置ずれを防止できる。その結果、洗浄槽２１ｂと蓋体２５ｂとの閉塞性を安定して確保することができる。
【００３２】
また、溝幅ｔ１を後方へ向かって狭くなるように構成すると、洗浄槽２１ｂが後方へ移動しながら蓋体２５ｂとの左右方向の位置関係を規制することができ、同様に洗浄槽２１ｂと蓋体２５ｂとの閉塞性を安定して確保することができるため、より信頼性の高い食器洗い機を提供することができる。
【００３３】
【発明の効果】
以上のように本発明の請求項１に記載の発明によれば、上方に開口部を有する洗浄槽と、この洗浄槽を前後方向に移動可能に支持する外箱と、前記洗浄槽を前記外箱内に押し込み収容した状態を保持する係止機構と、前記洗浄槽の開口部を閉塞する蓋体と、この蓋体を前方上方に付勢する弾性体とを備え、前記洗浄槽の前方の中央近傍に突出部を設け、前記蓋体の端面で突出部が当接する位置に被押圧部を設け、前記被押圧部は後方に向かって狭くなるよう凹形状に構成し、前記洗浄槽の収容時に、前記係止機構の近傍において前記突出部により前記蓋体を後方へ押し、前記蓋体を前記弾性体の付勢力に抗して移動させ、前記洗浄槽の開口部を閉塞する構成としたものであり、洗浄槽の突出部により蓋体を押す位置と係止機構との距離を短く設定しているため、製造上の寸法ばらつきの絶対値を小さく抑えることができるとともに、樹脂製の洗浄槽の場合でも熱収縮による経年変化量を低減することができ、その結果、洗浄槽を外箱内に押し込み収容したとき、蓋体を安定して後方下方へ移動させることができて、洗浄槽と蓋体との閉塞性を安定して確保することができ、信頼性の高い食器洗い機を提供することができる。また、洗浄槽と蓋体とを相互に中央近傍で当接させるため、左右で当接させる場合に生じる可能性がある左右の当接のタイミングのずれによる蓋体の傾きを防止することができ、より信頼性の高い食器洗い機を提供することができる。また、洗浄槽の突出部が蓋体の被押圧部に当接する前もしくは当接した後において、洗浄槽と蓋体との相互の左右方向の位置を規制することができるため、より信頼性の高い食器洗い機を提供することができる。また、洗浄槽が後方へ移動しながら蓋体との左右方向の位置関係を規制することができる。
【００３４】
また、請求項２に記載の発明によれば、係止機構を洗浄槽の前方部に設けたから、洗浄槽と蓋体との閉塞性を安定して確保することができるとともに、係止機構をコンパクトに構成することができるため、信頼性が高く廉価な食器洗い機を提供することができる。
【図面の簡単な説明】
【図１】  本発明の第１の実施例の食器洗い機の縦断面図
【図２】  本発明の第２の実施例の食器洗い機の洗浄槽を引きだした状態の横断面図
【図３】  本発明の第３の実施例の食器洗い機の洗浄槽を押し込む途中の横断面図
【図４】  従来の食器洗い機の縦断面図
【符号の説明】
１１  弾性体
２１  洗浄槽
２２  外箱
２３  開口部
２５  蓋体
２６  係止機構
２７  突出部
【図１】
0004240782.tif 000002
【図２】
0004240782.tif 000003
【図３】
0004240782.tif 000004
【図４】
0004240782.tif 000005